(57)【要約】  本発明は、トイレにおけるＮ−アルキルチオリン酸トリアミドの使用を記載する。【特許請求の範囲】
【請求項１】
トイレのにおいを改善するためのＮ−アルキル−チオリン酸トリアミドの使用。
【請求項２】
トイレにおいて使用するための、少なくとも１つのＮ−アルキル−チオリン酸トリアミドを含有する組成物。
【請求項３】
１つまたは複数のＮ−アルキル−チオリン酸トリアミド（類）が：メチル−チオリン酸トリアミド、エチル−チオリン酸トリアミド、Ｎ−プロピル−チオリン酸トリアミド（線状または分岐状）、Ｎ−ブチル−チオリン酸トリアミド（線状または分岐状）、Ｎ−ペンチル−チオリン酸トリアミド（線状または分岐状）、Ｎ−ヘキシル−チオリン酸トリアミド（線状または分岐状）、Ｎ−シクロヘキシルチオリン酸トリアミド、Ｎ−へプチル−チオリン酸トリアミド（線状または分岐状）、Ｎ−シクロヘプチル−チオリン酸トリアミド、Ｎ−オクチル−チオリン酸トリアミド（線状または分岐状）、Ｎ−シクロオクチル−チオリン酸トリアミドから成る群から選択されている、請求項２記載の組成物。
【請求項４】
少なくとも２つのＮ−アルキル−チオリン酸トリアミドを含有する、請求項２または３記載の組成物。
【請求項５】
Ｎ−アルキル−チオリン酸トリアミド（類）の（全体の）量が０．００１〜１００質量％である、請求項２から４までのいずれか１項記載の組成物。
【請求項６】
Ｎ−アルキル−チオリン酸トリアミド（類）の（全体の）量が０．０１〜９０質量％である、請求項５記載の組成物。
【請求項７】
Ｎ−アルキル−チオリン酸トリアミド（類）の（全体の）量が０．１〜５０質量％である、請求項６記載の組成物。
【請求項８】
Ｎ−アルキル−チオリン酸トリアミド（類）の（全体の）量が０．５〜１０質量％である、請求項７記載の組成物。
【請求項９】
さらに、アニオン性界面活性剤、カチオン性界面活性剤、ベタイン界面活性剤および非イオン性界面活性剤から成る群から選択された少なくとも１つの界面活性剤を含有する、請求項２から８までのいずれか１項記載の組成物。
【請求項１０】
少なくとも１つの界面活性剤が、０．０１〜９９質量％の（全体の）量で存在する、請求項２から９までのいずれか１項記載の組成物。
【請求項１１】
少なくとも１つの界面活性剤が、０．５〜５０質量％の（全体の）量で存在する、請求項１０記載の組成物。
【請求項１２】
少なくとも１つの界面活性剤が、１〜２５質量％の（全体の）量で存在する、請求項１１記載の組成物。
【請求項１３】
少なくとも１つの界面活性剤が、２〜１５質量％の（全体の）量で存在する、請求項１２記載の組成物。
【請求項１４】
さらに少なくとも１つの殺菌剤を含有する、請求項２から１３までのいずれか１項記載の組成物。
【請求項１５】
少なくとも１つの殺菌剤が、０．１〜２０質量％の（全体の）量で存在する、請求項１４記載の組成物。
【請求項１６】
少なくとも１つの殺菌剤が、１〜１０質量％の（全体の）量で存在する、請求項１５記載の組成物。
【請求項１７】
さらに少なくとも１つの香料を含有する、請求項２から１６までのいずれか１項記載の組成物。
【請求項１８】
少なくとも１つの香料が、０．１〜２０質量％の（全体の）量で存在する、請求項１７記載の組成物。
【請求項１９】
少なくとも１つの香料が、１〜１０質量％の（全体の）量で存在する、請求項１８記載の組成物。
【請求項２０】
さらに少なくとも１つの染料を含有する、請求項２から１９までのいずれか１項記載の組成物。
【請求項２１】
少なくとも１つの染料が、０．１〜２０質量％の（全体の）量で存在する、請求項２０記載の組成物。
【請求項２２】
少なくとも１つの染料が、１〜１０質量％の（全体の）量で存在する、請求項２１記載の組成物。
【請求項２３】
５〜９の範囲内のｐＨ値を有する、請求項１から２２までのいずれか１項記載の組成物。
【請求項２４】
６〜８のｐＨ値を有する、請求項２３記載の組成物。
【請求項２５】
以下の物質：酸、塩基、錯化剤、殺生剤、ヒドロトロープ、増粘剤の少なくとも１つを含有する、請求項１から２４までのいずれか１項記載の組成物。
【請求項２６】
請求項１から２５までのいずれか１項記載の組成物のための計量供給装置。
【請求項２７】
請求項２から２５までのいずれか１項記載の組成物の少なくとも２つの成分が、送出の時点になって初めて互いに混合される、請求項２６記載の計量供給装置。
【請求項２８】
一緒に合わせて請求項２から２５までのいずれか１項記載の組成物に相当する、少なくとも２つの同時にまたは連続して使用されるべき物質から成るパーツキット。
【発明の詳細な説明】
【技術分野】
【０００１】
リン酸トリアミドは、ＵＳ４，５３０，７１４の中で記載される。これらの化合物の使用がそこでも同様に記載される−植物生長媒体中で使用される場合、これらは土壌の窒素含量が保持される分野において寄与する。
【０００２】
ＵＳ５，７７０，７７１は、Ｎ−ヒドロカルビルチオリン酸トリアミド、例えばＮ−（ｎ−ブチル）チオリン酸トリアミドの多段階の製造法を開示する。
【０００３】
ＷＯ２００６／０１０３８９Ａ１はまた、リン酸トリアミドの使用を扱う。その際、多数の使用が挙げられる：窒素ベースの肥料を使用する際の窒素損失の回避、動物小屋内でのアンモニア害の回避、動物の栄養摂取における飼料添加物としての尿素の使用ならびに医薬用途。
−窒素ベースの肥料を使用する際の窒素損失の回避は、酵素的ウレアーゼ触媒反応による尿素加水分解−場合によって硝化作用の制限を平行して行って−が抑止されることによって達成される。そうして苗の発芽および生育に悪影響を及ぼしうる土壌中の高いアンモニア濃度が回避されることになる。
−酵素的ウレアーゼ触媒反応による尿素加水分解の抑止によって同様に、動物の発育および成長に悪影響を及ぼしうる、小屋内での時に重大なアンモニア害が回避されることになる。
−またＷＯ２００６／０１０３８９Ａ１は、このように、いわゆる"非蛋白窒素化合物"による動物の栄養価の高い蛋白質に富んだ植物栄養分の部分的な代用にも成功する。ここでは放出したアンモニア割合が、存在する微生物によって即座に微生物蛋白質に処理されえ、そうして毒性反応が起こりえないように、動物の第一胃内で行われるウレアーゼ触媒反応による尿素加水分解を制御することに成功する場合に尿素を用いることができる。
−医薬領域においては、直接的または間接的にウレアーゼ活性によって誘発されるかまたは促進される障害または病気の予防または治療のためのウレアーゼ阻害剤が提案される。例として、カテーテルインクラステーション、潰瘍性の胃疾患および腸疾患、尿石症、腎盂腎炎、腎石症、アンモニア脳症、肝性脳症、肝性昏睡、尿路感染症および胃腸感染症が挙げられる。
【０００４】
ＤＥ１０２５２３８２Ａ１は同様に、窒素ベースの肥料を使用する際の窒素損失の回避、動物小屋内でのアンモニア害の回避および動物の栄養摂取における飼料添加物としての尿素の使用を扱う。該文献は、この関連において極めて効果的なウレアーゼ阻害剤としてのリン酸エステルジアミドを記載する。同様に該文献は、リン酸トリアミドの誘導体としてＮ−（ｎ−ブチル）チオリン酸トリアミドを記載するが、それはしかし比較的加水分解を起こしやすいとされる。ＤＥ１０２５２３８２Ａ１は、上記の適用のためにとりわけ良好に適した化合物としてのテトラアミノホスホニウム塩の使用を教示する。
【０００５】
ＵＳ６，８６９，９２３は、衛生領域における洗浄剤中で使用することのできる香料組成物を記載する。しかしながらこの組成物は、尿のにおいだけを洗浄中および洗浄後に回避したいと思う使用者がこの選択肢を持たず、むしろその他の、一般的に心地よく感じられるにおいによってしかこのにおいを隠すことができないという欠点を有する。
【０００６】
ＵＳ６，３７６，４５７は、衛生領域における洗浄剤中で使用するための香料組成物を記載する。ここでも使用者は尿の不快なにおいを回避することができない−使用者はそれを単に強力な−また一般的に心地よく感じられる−においによってしかおおうことができない。
【０００７】
同様に、本質的にトイレにおける洗浄剤および香料のための分散装置を扱うＵＳ６，６２５，８２１は、衛生領域において尿のにおいの問題を解決するための香料の使用のみを記載する。
【０００８】
以上のことより、トイレから出てくる尿のにおいを減少させ、かつ最適には回避するという課題が生まれる。
【０００９】
意想外にも、これらの課題は、請求項１記載の使用、請求項２から２５までのいずれか１項記載の組成物、請求項２６および２７記載の計量供給装置および請求項２８記載のパーツキットによって解決される。
【００１０】
トイレのにおいを改善するためにＮ−アルキル−チオリン酸トリアミドを使用することが本発明の課題を解決する。Ｎ−アルキル−チオリン酸トリアミド（類）は、単独でかまたはその他の物質と一緒に使用することができる。
【００１１】
従って、トイレにおいて使用するための、少なくとも１つのＮ−アルキル−チオリン酸トリアミドを含有する組成物が同様に本発明の一対象である。
【００１２】
その際、有利なのは、１つまたは複数のＮ−アルキル−チオリン酸トリアミド（類）が：Ｎ−メチル−チオリン酸トリアミド、Ｎ−エチル−チオリン酸トリアミド、Ｎ−プロピル−チオリン酸トリアミド（線状または分岐状）、Ｎ−ブチル−チオリン酸トリアミド（線状または分岐状）、Ｎ−ペンチル−チオリン酸トリアミド（線状または分岐状）、Ｎ−ヘキシル−チオリン酸トリアミド（線状または分岐状）、Ｎ−シクロヘキシルチオリン酸トリアミド、Ｎ−へプチル−チオリン酸トリアミド（線状または分岐状）、Ｎ−シクロヘプチル−チオリン酸トリアミド、Ｎ−オクチル−チオリン酸トリアミド（線状または分岐状）、Ｎ−シクロオクチル−チオリン酸トリアミドから成る群から選択されている組成物である。
【００１３】
その際、とりわけ有利なのは、少なくとも２つのＮ−アルキル−チオリン酸トリアミドを含有する組成物である。その際、最も有利な実施態様は、組成物がＮ−プロピル−チオリン酸トリアミドとＮ−ブチル−チオリン酸トリアミドを含有するものである。
【００１４】
さらに有利なのは、Ｎ−アルキル−チオリン酸トリアミド（類）の（全体の）量が０．００１〜１００質量％、好ましくは０．０１〜９０質量％、とりわけ有利には０．１〜５０質量％および最も有利には０．５〜１０質量％である組成物である。
【００１５】
その際、"（全体の）量"という記載は、ｎ−アルキルチオリン酸トリアミドのみもしくは本発明によるさらに別の成分のみが組成物中に存在する場合、この物質の量が考慮に入れられるべきであり、一方で複数のｎ−アルキルチオリン酸トリアミドもしくは本発明による複数の成分が存在する場合、そのつどこれらの合計が考慮に入れられるべきことが理解されるべきである。つまり化合物が、例えばアニオン性界面活性剤ｘ質量％およびカチオン性界面活性剤ｙ質量％を含有する場合、考慮に際してｘ+ｙ質量％に基づいていなければならない。
【００１６】
本発明のさらに有利な一実施態様は、それ以外に、アニオン性界面活性剤、カチオン性界面活性剤、ベタイン界面活性剤および非イオン性界面活性剤から成る群から選択された少なくとも１つの界面活性剤を含有する組成物である。
【００１７】
界面活性剤は、一般的に疎水性部分と親水性部分とから成る。その際、疎水性部分は、一般的にＣ原子４〜２０個、好ましくはＣ原子６〜１９個およびとりわけ有利にはＣ原子８〜１８個の鎖長を有する。疎水性基の官能性単位は一般的にＯＨ基であり、その際、アルコールは分岐状または非分岐状であってよい。一般的に親水性部分は、本質的にアルコキシル化単位（例えばエチレンオキシド（ＥＯ）、プロピレンオキシド（ＰＯ）および／またはブチレンオキシド（ＢＯ））、その際、通常、これらのアルコキシル化単位の２〜３０個、好ましくは５〜２０個は互いに並んでいる、および／または荷電単位、例えばスルフェート、スルホネート、ホスフェート、カルボン酸、アンモニウムおよび酸化アンモニウムから成る。
【００１８】
アニオン性界面活性剤の例は：カルボキシレート、スルホネート、スルホ脂肪酸メチルエステル、スルフェート、ホスフェートである。カチオン性界面活性剤の例は：第４級アンモニウム化合物である。ベタイン界面活性剤の例は：アルキルベタインである。非イオン性化合物の例は：アルコールアルコキシレートである。
【００１９】
その際、"カルボキシレート"とは、分子中に少なくとも１個のカルボキシレート基を有する化合物と理解される。本発明に従って使用することのできるカルボキシレートの例は、
＞セッケン−例えばアルカリ金属またはアンモニウムのステアリン酸塩、オレイン酸塩、ヤシ脂肪酸塩、
＞エーテルカルボキシレート−例えばＡｋｙｐｏ（Ｒ）ＲＯ ２０、Ａｋｙｐｏ（Ｒ）ＲＯ ５０、Ａｋｙｐｏ（Ｒ）ＲＯ ９０
である。
【００２０】
その際、"スルホネート"とは、分子中に少なくとも１個のスルホネート基を有する化合物と理解される。本発明に従って使用することのできるスルホネートの例は、
＞アルキルベンゼンスルホネート−例えばＬｕｔｅｎｓｉｔ（Ｒ）Ａ−ＬＢＳ、Ｌｕｔｅｎｓｉｔ（Ｒ）Ａ−ＬＢＮ、Ｌｕｔｅｎｓｉｔ（Ｒ）Ａ−ＬＢＡ、Ｍａｒｌｏｎ（Ｒ）ＡＳ３、Ｍａｒａｎｉｌ（Ｒ）ＤＢＳ、
＞アルキルスルホネート−例えばＡｌｓｃｏａｐ ＯＳ−１４Ｐ、ＢＩＯ−ＴＥＲＧＥ（Ｒ）ＡＳ−４０、ＢＩＯ−ＴＥＲＧＥ（Ｒ）ＡＳ−４０ ＣＧ、ＢＩＯ−ＴＥＲＧＥ（Ｒ）ＡＳ−９０ Ｂｅａｄｓ、Ｃａｌｉｍｕｌｓｅ（Ｒ）ＡＯＳ−２０、Ｃａｌｉｍｕｌｓｅ（Ｒ）ＡＯＳ−４０、Ｃａｌｓｏｆｔ（Ｒ）ＡＯＳ−４０、Ｃｏｌｏｎｉａｌ（Ｒ）ＡＯＳ−４０、Ｅｌｆａｎ（Ｒ）ＯＳ ４６、Ｉｆｒａｐｏｎ（Ｒ）ＡＯＳ ３８、Ｉｆｒａｐｏｎ（Ｒ）ＡＯＳ ３８ Ｐ、Ｊｅｅｎａｔｅ（Ｒ）ＡＯＳ−４０、Ｎｉｋｋｏｌ（Ｒ）ＯＳ−１４、Ｎｏｒｆｏｘ（Ｒ）ＡＬＰＨＡ ＸＬ、ＰＯＬＹＳＴＥＰ（Ｒ）Ａ−１８、Ｒｈｏｄａｃａｌ（Ｒ）Ａ−２４６Ｌ、Ｒｈｏｄａｃａｌ（Ｒ）ＬＳＳ−４０／Ａ、
＞スルホン化油、例えばロート油、
＞オレフィンスルホネート、
＞芳香族スルホネート−例えばＮｅｋａｌ（Ｒ）ＢＸ、Ｄｏｗｆａｘ（Ｒ）２Ａ１
である。
【００２１】
その際、"スルホ脂肪酸メチルエステル"とは、以下の一般式（Ｉ）
【化１】
2010501223.tif 000002
［式中、Ｒは、Ｃ原子１０〜２０個を有する：好ましくは、Ｒは、Ｃ原子１２〜１８個およびとりわけ有利には１４〜１６個を有する］
の単位を有する。
【００２２】
その際、"スルフェート"とは、分子中に少なくとも１個のＳＯ４基を有する化合物と理解される。本発明に従って使用することのできるスルフェートの例は、
＞脂肪アルコールスルフェート、例えばヤシ油脂肪アルコールスルフェート（ＣＡＳ ９７３７５−２７−４）−例えばＥＭＡＬ（Ｒ）１０Ｇ、Ｄｉｓｐｅｒｓｏｇｅｎ（Ｒ）ＳＩ、Ｅｆｌａｎ（Ｒ）２８０、Ｍａｃｋｏｌ（Ｒ）１００Ｎ、
＞その他のアルコールスルフェート−例えばＥｍａｌ（Ｒ）７１、Ｌａｎｅｔｔｅ（Ｒ）Ｅ、
＞ヤシ油脂肪アルコールエーテルスルフェート−例えばＥｍａｌ（Ｒ）２０Ｃ、Ｌａｔｅｍｕｌ（Ｒ）Ｅ１５０、Ｓｕｌｆｏｃｈｅｍ（Ｒ）ＥＳ−７、Ｔｅｘａｐｏｎ（Ｒ）ＡＳＶ−７０ Ｓｐｅｃ．，Ａｇｎｉｑｕｅ ＳＬＥＳ−２２９−Ｆ、Ｏｃｔｏｓｏｌ ８２８、ＰＯＬＹＳＴＥＰ（Ｒ）Ｂ−２３、Ｕｎｉｐｏｌ（Ｒ）１２５−Ｅ、１３０−Ｅ、Ｕｎｉｐｏｌ（Ｒ）ＥＳ−４０、
＞その他のアルコールエーテルスルフェート−例えばＡｖａｎｅｌ（Ｒ）Ｓ−１５０、Ａｖａｎｅｌ（Ｒ）Ｓ １５０ ＣＧ、Ａｖａｎｅｌ（Ｒ）Ｓ １５０ ＣＧ Ｎ、Ｗｉｔｃｏｌａｔｅ（Ｒ）Ｄ５１−５１、Ｗｉｔｃｏｌａｔｅ（Ｒ）Ｄ５１−５３
である。
【００２３】
ここで"ホスフェート"とは、分子中に少なくとも１個のＰＯ４基を有する化合物と理解される。本発明に従って使用することのできるホスフェートの例は、
＞アルキルエーテルホスフェート−例えばＭａｐｈｏｓ（Ｒ）３７Ｐ、Ｍａｐｈｏｓ（Ｒ）５４Ｐ、Ｍａｐｈｏｓ（Ｒ）３７Ｔ、Ｍａｐｈｏｓ（Ｒ）２１０ＴおよびＭａｐｈｏｓ（Ｒ）２１０Ｐ、
＞ホスフェート、例えばＬｕｔｅｎｓｉｔ Ａ−ＥＰ、
＞アルキルホスフェート
である。
【００２４】
"第４級アンモニウム化合物"とは、分子中に少なくとも１個のＲ４Ｎ＋基を有する化合物と理解される。本発明に従って使用することのできる第４級アンモニウム化合物の例は、
＞ヤシ脂肪アンモニウム、獣脂アンモニウムまたはセチル／オレイルトリメチルアンモニウムのハロゲン化物、メソスルフェート、スルフェートおよびカーボネート
である。
【００２５】
さらに、"ベタイン界面活性剤"は、適用条件下、すなわち標準圧力下および室温（２０℃）で、またはシミュレーションのために実施例の中で選択した条件下で、そのつど少なくとも１つの正電荷および負電荷を持つ化合物と理解される。その際、"アルキルベタイン"は、分子中に少なくとも１個のアルキル単位を有するベタイン界面活性剤である。本発明に従って使用することのできるベタイン界面活性剤の例は、
コカミドプロピルベタイン−例えばＭＡＦＯ（Ｒ）ＣＡＢ、Ａｍｏｎｙｌ（Ｒ）３８０ ＢＡ、ＡＭＰＨＯＳＯＬ（Ｒ）ＣＡ、ＡＭＰＨＯＳＯＬ（Ｒ）ＣＧ、ＡＭＰＨＯＳＯＬ（Ｒ）ＣＲ、ＡＭＰＨＯＳＯＬ（Ｒ）ＨＣＧ；ＡＭＰＨＯＳＯＬ（Ｒ）ＨＣＧ−５０、Ｃｈｅｍｂｅｔａｉｎｅ（Ｒ）Ｃ、Ｃｈｅｍｂｅｔａｉｎｅ（Ｒ）ＣＧＦ、Ｃｈｅｍｂｅｔａｉｎｅ（Ｒ）ＣＬ、Ｄｅｈｙｔｏｎ（Ｒ）ＰＫ、Ｄｅｈｙｔｏｎ（Ｒ）ＰＫ ４５、Ｅｍｅｒｙ（Ｒ）６７４４、Ｅｍｐｉｇｅｎ（Ｒ）ＢＳ／Ｆ、Ｅｍｐｉｇｅｎ（Ｒ）ＢＳ／ＦＡ、Ｅｍｐｉｇｅｎ（Ｒ）ＢＳ／Ｐ、Ｇｅｎａｇｅｎ（Ｒ）ＣＡＢ、Ｌｏｎｚａｉｎｅ（Ｒ）Ｃ、Ｌｏｎｚａｉｎｅ（Ｒ）ＣＯ、Ｍｉｒａｔａｉｎｅ（Ｒ）ＢＥＴ−Ｃ−３０、Ｍｉｒａｔａｉｎｅ（Ｒ）ＣＢ、Ｍｏｎａｔｅｒｉｃ（Ｒ）ＣＡＢ、Ｎａｘａｉｎｅ（Ｒ）Ｃ、Ｎｘａｉｎｅ（Ｒ）ＣＯ、Ｎｏｒｆｏｘ（Ｒ）ＣＡＲＢ、Ｎｏｒｆｏｘ（Ｒ）Ｃｏｃｏ Ｂｅｔａｉｎｅ、Ｒａｌｕｆｏｎ（Ｒ）４１４、ＴＥＧＯ（Ｒ）−Ｂｅｔａｉｎ ＣＫＤ、ＴＥＧＯ（Ｒ）Ｂｅｔａｉｎ Ｅ ＫＥ １、ＴＥＧＯ（Ｒ）−Ｂｅｔａｉｎ Ｆ、ＴＥＧＯ（Ｒ）−Ｂｅｔａｉｎ Ｆ ５０およびアミンオキシド、例えばアルキルジメチルアミンオキシド、すなわち一般式（ＩＩ）
【化２】
2010501223.tif 000003
［式中、Ｒ１、Ｒ２およびＲ３は、互いに無関係に、脂肪族の、環状のまたは第４級のアルキル基またはアミドアルキル基である］の化合物、例えばＭａｚｏｘ（Ｒ）ＬＤＡ、Ｇｅｎａｍｉｎｏｘ（Ｒ）、Ａｒｏｍｏｘ（Ｒ）１４ ＤＷ ９７０である。
【００２６】
非イオン性界面活性剤は、表面で吸着しかつ臨界ミセル形成濃度（ｃｍｃ）より上で凝集して中性ミセルとなる、非荷電の、中和ｐＨ範囲内でイオン電荷を持たない、極性の、親水性の、水可溶性にする頭部基を（アニオン性およびカチオン性界面活性剤とは異なって）有する表面活性物質である。親水性の頭部基の種類に応じて、（オリゴ）オキシアルキレン基、殊に（オリゴ）オキシエチレン基（ポリエチレングリコール基）、それらには脂肪アルコールポリグリコールエーテル（脂肪アルコールアルコキシレート）、アルキルフェノールポリグリコールエーテルならびに脂肪酸エトキシレート、アルコキシル化トリグリセリドおよび混合エーテル（両側がアルキル化されたポリエチレングリコールエーテル）が含まれる；および炭水化物基、それらには、例えばアルキルポリグルコシドおよび脂肪酸−Ｎ−メチルグルカミドが含まれる；とを区別することができる。
【００２７】
アルコールアルコキシレートは、Ｃ原子４〜２０個、好ましくはＣ原子６〜１９個およびとりわけ有利にはＣ原子８〜１８個の鎖長を有する疎水性部分、その際、アルコールは分岐状または非分岐状であってよい、および繰り返し単位２〜３０個を有する、アルコキシル化単位、例えばエチレンオキシド（ＥＯ）、プロピレンオキシド（ＰＯ）および／またはブチレンオキシド（ＢｕＯ）である親水性部分をベースとする。例は、なかでもＬｕｔｅｎｓｏｌ（Ｒ）ＸＰ、Ｌｕｔｅｎｓｏｌ（Ｒ）ＸＬ、Ｌｕｔｅｎｓｏｌ（Ｒ）ＯＮ、Ｌｕｔｅｎｓｏｌ（Ｒ）ＡＴ、Ｌｕｔｅｎｓｏｌ（Ｒ）Ａ、Ｌｕｔｅｎｓｏｌ（Ｒ）ＡＯ、Ｌｕｔｅｎｓｏｌ（Ｒ）ＴＯである。
【００２８】
アルコールフェノールアルコキシレートは、アルキルフェノールへのアルキレンオキシド、好ましくはエチレンオキシドの付加によって製造される一般式（ＩＩＩ）
【化３】
2010501223.tif 000004
の化合物である。その際、好ましくは、Ｒ４＝Ｈである。それ以外に、Ｒ５＝Ｈであり−従ってＥＯである場合に有利である；同様に、Ｒ５＝ＣＨ３であり、つまりそれがＰＯである場合、またはＲ５＝ＣＨ２ＣＨ３であり、それがＢｕＯである場合、有利である。それ以外に、とりわけ有利なのは、オクチル−［（Ｒ１＝Ｒ３＝Ｈ、Ｒ２＝１，１，３，３−テトラメチルブチル（ジイソブチレン）］、ノニル−［（Ｒ１＝Ｒ３＝Ｈ、Ｒ２＝１，３，５−トリメチルヘキシル（トリプロピレン）］、ドデシル−、ジノニル−またはトリブチルフェノールポリグリコールエーテル（例えばＥＯ、ＰＯ、ＢｕＯ）、Ｒ−Ｃ６Ｈ４−Ｏ−（ＥＯ／ＰＯ／ＢｕＯ）ｎ Ｒ＝Ｃ８〜Ｃ１２およびｎ＝５〜１０が存在する化合物である。このような化合物の限定されない例は：Ｎｏｒｆｏｘ（Ｒ）ＯＰ−１０２、Ｓｕｒｆｏｎｉｃ（Ｒ）ＯＰ−１２０、Ｔ−Ｄｅｔ（Ｒ）Ｏ−１２である。
【００２９】
脂肪酸エトキシレートは、様々の量のエチレンオキシド（ＥＯ）で後処理された脂肪酸エステルである。
【００３０】
トリグリセリドは、全ての３個のヒドロキシ基が脂肪酸でエステル化されているグリセロール（グリセリド）のエステルである。これらはアルキレンオキシドで変性することができる。
【００３１】
脂肪酸アルカノールアミドは、アルキル基Ｒを有する少なくとも１個のアミド基および１個または２個のアルコキシル基を有する一般式（ＩＶ）
【化４】
2010501223.tif 000005
［式中、Ｒは、Ｃ原子１１〜１７個を包含し、かつ１≦ｍ+ｎ≦５である］の化合物である。
【００３２】
アルキルポリグリコシドは、アルキルモノグルコシド（アルキル−α−Ｄ−および−β−Ｄ−グルコピラノシドならびにごく僅かな割合の−グルコフラノシド）、アルキルジグルコシド（−イソマルトシド、−マルトシド他）およびアルキルオリゴグルコシド（−マルトトリオシド、テトラオシド他）からの混合物である。アルキルポリグリコシドは、なかでもグルコース（またはデンプン）からのまたはｎ−ブチルグルコシドと脂肪アルコールとからの酸触媒反応（フィッシャー反応）によって入手される。アルキルポリグリコシドは、一般式（Ｖ）
【化５】
2010501223.tif 000006
［式中、
ｍ＝０〜３でありかつ
ｎ＝４〜２０である］に相当する。一例は、Ｌｕｔｅｎｓｏｌ（Ｒ）ＧＤ７０である。
【００３３】
一般式（ＶＩ）
【化６】
2010501223.tif 000007
の非イオン性のＮ−アルキル化された、好ましくはＮ−メチル化された脂肪酸アミドの基において、Ｒ１は、一般にｎ−Ｃ１２−アルキル基を表し、Ｒ２は、Ｃ原子１〜８個を有するアルキル基を表す。Ｒ２は、好ましくはメチルである。
【００３４】
これらの界面活性剤の添加の利点は、それらが表面張力を下げ、そうして良好な濡れ性が確保されるという点にある。
【００３５】
その際、有利な量の範囲が存在し、かつ少なくとも１つの界面活性剤が０．０１〜９９質量％、好ましくは０．５〜５０質量％、とりわけ有利には１〜２５質量％および最も有利には２〜１５質量％の量で存在する組成物が有利である。
【００３６】
Ｎ−アルキル−チオリン酸アルキルアミドは強酸および強塩基の存在下では貯蔵安定性が低下しているので、５〜９の範囲内の、好ましくは６〜８の範囲内の、例えば６．５、７または７．５のｐＨ値を有する組成物が有利である。しかし該組成物は、強酸または強塩基とも一緒に使用することができる。その際、好ましくは、以下でより詳細に記載される計量供給装置が用いられる。
【００３７】
本発明のさらに別の有利な一実施態様は、付加的に少なくとも１つの以下の物質：殺菌剤、香料、染料を含有する組成物である。
【００３８】
さらに少なくとも１つの殺菌剤を含有する上記のような組成物がとりわけ有利である。その際、少なくとも１つの殺菌剤は、組成物中に０．１〜２０質量％、好ましくは１〜１０質量％の（全体の）量で存在する。
【００３９】
殺菌剤は：酸化剤、ハロゲン、例えば塩素およびヨウ素およびこれらを放出する物質、アルコール、例えばエタノール、１−プロパノールおよび２−プロパノール、アルデヒド、フェノール、エチレンオキシド、清浄剤、クロルヘキシジンおよびメチル硫酸メセトロニウム(Mecetroniummetisulfat)である。
【００４０】
殺菌剤を使用する利点は、トイレ内で病原体がほとんど蔓延しえないという点にある。病原体は：細菌、胞子、菌類またはウイルスであってよい。
【００４１】
さらに少なくとも１つの香料を含有する組成物がとりわけ有利である。
【００４２】
香料は、アルコール、アルデヒド、テルペンおよび／またはエステルの個々の化合物または混合物であってよい。香料の例は下記のものである：レモングラス油、コーチン(Cochin)、ジヒドロミルセノール、リリアール、フェニルエチルアルコール、テトラヒドロリナロール、ヘキサノール ｃｉｓ−３、ラバンジングロッソ、シトラール、アリルカプロエート、シトロニトリル、ベンジルアセテート、ヘキシルシンナムアルデヒド、シトロネロール、イソアミルサリチレート、イソボルニルアセテート、テルピニルアセテート、リナリルアセテート、テルピニルアセテート、ジヒドロミルセノール、アグルニトリル(Agrunitril)、ユーカリ油、ヘルバフロラート(Herbaflorat)およびオレンジ油。香料を使用する利点は、トイレが新たに洗浄された印象を与え、また妨げとなるにおいを覆い隠すという点にある。
【００４３】
それゆえ該組成物は、好ましくは、少なくとも１つの香料を０．１〜２０質量％、とりわけ有利には１〜１０質量％の（全体の）量で含有する。
【００４４】
さらに、そのうえ少なくとも１つの染料を含有する組成物が有利である。
【００４５】
染料は、なかでも：Ａｃｉｄ Ｂｌｕｅ ９、Ａｃｉｄ Ｙｅｌｌｏｗ ３、Ａｃｉｄ Ｙｅｌｌｏｗ ２３、Ａｃｉｄ Ｙｅｌｌｏｗ ７３、Ｐｉｇｍｅｎｔ Ｙｅｌｌｏｗ １０１、Ａｃｉｄ Ｇｒｅｅｎ １、Ａｃｉｄ Ｇｒｅｅｎ ２５であってよい。トイレにおいて染料を使用する利点は、清潔に保つために何らかの措置が講じられたという印象を与える。
【００４６】
それゆえ有利なのは、少なくとも１つの染料が０．１〜２０質量％の、１〜１０質量％の（全体の）量で存在する組成物である。
【００４７】
本発明による組成物のさらに別の成分は、例えば：ポリマー、錯化剤、酸、塩基、殺生剤、ヒドロトロープおよび増粘剤であってよい。
【００４８】
ポリマーは：エチレンオキシド（ＥＯ）および／またはプロピレンオキシド（ＰＯ）および／またはブチレンオキシド（ＢｕＯ）から成る付加物であってよい。その際、モノマーの配列は、交互、ランダムまたはブロック状であってよい。有利なのは、本質的にブロック状に分布している化合物である。このような化合物の例は、Ｐｌｕｒｏｎｉｃｓ（Ｒ）である。
【００４９】
錯化剤は、カチオンを形成可能な化合物である。これは水の硬度を低下させ、かつ妨げとなる重金属イオンを沈殿させるために用いることができる。錯化剤の例は、ＮＴＡ、ＥＤＴＡ、ＭＧＤＡおよびＧＬＤＡである。これらの化合物を使用する利点は、水の硬度を低下させることによってトイレの水あかの発生を回避することができるという点にある。従ってこれらの化合物の使用によって、洗浄された表面を乾燥する必要がなくなる。これはプロセスフローの観点から好ましく、殊に、このように保護のために施与された本発明による組成物は部分的に再び取り除かれないので、追求するに値する。
【００５０】
酸は、有利には水あかを溶解もしくは防止するために使用される化合物である。酸の例は、ギ酸、酢酸、クエン酸、塩酸、硫酸およびスルホン酸である。
【００５１】
塩基は、有利には錯化剤の適切なｐＨ値範囲を調整するのに使用することのできる化合物である。本発明に従って使用することのできる塩基の例は：ＮａＯＨ、ＫＯＨおよびアミンエタノールである。
【００５２】
殺生剤は、バクテリアを殺す化合物である。殺生剤の一例は、グルタルアルデヒドである。殺生剤の使用の利点は、それが病原体の蔓延に抵抗を示すという点にある。
【００５３】
ヒドロトロープは、組成物中で界面活性剤（類）の溶解性を改善する化合物である。ヒドロトロープの一例は：クメンスルホネートである。
【００５４】
増粘剤は、組成物の粘度を高める化合物である。増粘剤の例は：例えばポリアクリレートまたは疎水性に変性されたポリアクリレートである。増粘剤の使用の利点は、高い粘度を有する液体の飛散傾向がより小さくなり、ひいてはトイレ内およびトイレ周りの使用により汚れた部分を減らすことができるという点にある。
【００５５】
本発明による組成物のための計量供給装置は、本発明のさらに別の一対象である。この発明に従う計量供給装置は、本発明による組成物を含有しかつこれを少なくとも１つの開口部を通して放出する容器である。その際、抜き出しは、重力によって、例えば開口部を通して注ぎ出すことによって、ポンピングによって、例えば容器中で過圧を生成することによって、しかし外側から減圧を掛けることによっても行うことができる。同様に、１つの（一回量）または複数のトイレに足りる組成物の分量がパッケージングされている計量供給装置も本発明の一対象を形成する。それから該組成物は、好ましくは水溶性容器中に封入されており、該容器は水と接触した際に組成物を放出する。この容器は単純にトイレ内に投げ込んでよく、その直後に組成物が放出する。その際、該容器は、組成物を封入しかつ必要とされる場合には放出することができる全ての水溶性材料から成ってよく、例えばそれはポリビニルアルコールである。その際、とりわけ有利なのは、本発明による組成物の少なくとも２つの成分が、送出の時点になって初めて互いに混合される計量供給装置である。この種類の計量供給装置は、殊に、少なくとも１つのＮ−アルキルチオリン酸トリアミド以外に、とりわけ酸性または塩基性である１つまたは複数の界面活性剤が使用される場合に有利である。さらに別の成分が酸または塩基である場合、これらを分離すること、もしくはこれらを貯蔵の間、Ｎ−アルキルチオリン酸トリアミドから分離しかつ該成分を使用する時になって初めて合一することもとりわけ有利である。
【００５６】
とりわけ有利なのは、水量を提供しないかもしくは限られた水量のみしか提供しないフラッシング装置を提供するトイレにおける、ならびにその排水がある一定の時間にわたって蓄えられるトイレにおける、Ｎ−アルキルチオリン酸トリアミドを含有する組成物の使用である。これらは殊に、例えば大規模な催しでの工事現場において、キャラバン／移動住宅等のキャンプサイトにおいて使用される移動式トイレである。
【００５７】
ともに本発明による組成物に相当する、少なくとも２つの同時にまたは連続して使用されるべき物質から成るパーツキットは、本発明のさらに別の一対象を形成する。そうして例えば、１つの容器中には１つまたは複数のＮ−アルキルチオリン酸トリアミドが含まれており、２つ目の容器中には１つまたは複数の界面活性剤が含まれている。そうして一方では強酸もしくは強塩基の成分と、かつ他方では１つまたは複数のＮ−アルキルチオリン酸トリアミドとに分けることも実現可能であり、かつ本発明の範囲内にある。この種のパーツキットは、本質的に種々の成分を同時に使用すること以外に、該成分を時間的に後にずらして使用することも可能にする。そうして例えば、まずＮ−アルキルチオリン酸トリアミド（類）を含有する組成物によりにおいを回避、引き続き界面活性剤を含有する組成物によりトイレの洗浄を整える／実施することができる。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
トイレのにおいを改善するためのＮ−アルキル−チオリン酸トリアミドの使用。
【請求項２】
トイレにおいて使用するための、少なくとも１つのＮ−アルキル−チオンリン酸トリアミドと、以下の物質：酸、塩基、錯化剤、殺生剤、ヒドロトロープ、増粘剤、殺菌剤および香料の少なくとも１つとを含有する組成物。
【請求項３】
１つまたは複数のＮ−アルキル−チオリン酸トリアミド（類）が：メチル−チオリン酸トリアミド、エチル−チオリン酸トリアミド、Ｎ−プロピル−チオリン酸トリアミド（線状または分岐状）、Ｎ−ブチル−チオリン酸トリアミド（線状または分岐状）、Ｎ−ペンチル−チオリン酸トリアミド（線状または分岐状）、Ｎ−ヘキシル−チオリン酸トリアミド（線状または分岐状）、Ｎ−シクロヘキシルチオリン酸トリアミド、Ｎ−へプチル−チオリン酸トリアミド（線状または分岐状）、Ｎ−シクロヘプチル−チオリン酸トリアミド、Ｎ−オクチル−チオリン酸トリアミド（線状または分岐状）、Ｎ−シクロオクチル−チオリン酸トリアミドから成る群から選択されている、請求項２記載の組成物。
【請求項４】
少なくとも２つのＮ−アルキル−チオリン酸トリアミドを含有する、請求項２または３記載の組成物。
【請求項５】
Ｎ−アルキル−チオリン酸トリアミド（類）の（全体の）量が０．００１〜１００質量％である、請求項２から４までのいずれか１項記載の組成物。
【請求項６】
Ｎ−アルキル−チオリン酸トリアミド（類）の（全体の）量が０．０１〜９０質量％である、請求項５記載の組成物。
【請求項７】
Ｎ−アルキル−チオリン酸トリアミド（類）の（全体の）量が０．１〜５０質量％である、請求項６記載の組成物。
【請求項８】
Ｎ−アルキル−チオリン酸トリアミド（類）の（全体の）量が０．５〜１０質量％である、請求項７記載の組成物。
【請求項９】
さらに、アニオン性界面活性剤、カチオン性界面活性剤、ベタイン界面活性剤および非イオン性界面活性剤から成る群から選択された少なくとも１つの界面活性剤を含有する、請求項２から８までのいずれか１項記載の組成物。
【請求項１０】
少なくとも１つの界面活性剤が、０．０１〜９９質量％の（全体の）量で存在する、請求項２から９までのいずれか１項記載の組成物。
【請求項１１】
少なくとも１つの界面活性剤が、０．５〜５０質量％の（全体の）量で存在する、請求項１０記載の組成物。
【請求項１２】
少なくとも１つの界面活性剤が、１〜２５質量％の（全体の）量で存在する、請求項１１記載の組成物。
【請求項１３】
少なくとも１つの界面活性剤が、２〜１５質量％の（全体の）量で存在する、請求項１２記載の組成物。
【請求項１４】
少なくとも１つの殺菌剤が、０．１〜２０質量％の（全体の）量で存在する、請求項２から１３までのいずれか１項記載の組成物。
【請求項１５】
少なくとも１つの殺菌剤が、１〜１０質量％の（全体の）量で存在する、請求項１４記載の組成物。
【請求項１６】
少なくとも１つの香料が、０．１〜２０質量％の（全体の）量で存在する、請求項２から１５までのいずれか１項記載の組成物。
【請求項１７】
少なくとも１つの香料が、１〜１０質量％の（全体の）量で存在する、請求項１６記載の組成物。
【請求項１８】
さらに少なくとも１つの染料を含有する、請求項２から１７までのいずれか１項記載の組成物。
【請求項１９】
少なくとも１つの染料が、０．１〜２０質量％の（全体の）量で存在する、請求項１８記載の組成物。
【請求項２０】
少なくとも１つの染料が、１〜１０質量％の（全体の）量で存在する、請求項１９記載の組成物。
【請求項２１】
５〜９の範囲内のｐＨ値を有する、請求項１から２０までのいずれか１項記載の組成物。
【請求項２２】
６〜８のｐＨ値を有する、請求項２１記載の組成物。
【請求項２３】
請求項２から２２までのいずれか１項記載の組成物を含有する計量供給装置。
【請求項２４】
請求項２から２２までのいずれか１項記載の組成物の少なくとも２つの成分が、送出の時点になって初めて互いに混合される、請求項２３記載の計量供給装置。
【請求項２５】
一緒に合わせて請求項２から２２までのいずれか１項記載の組成物に相当する、少なくとも２つの同時にまたは連続して使用されるべき物質から成るパーツキット。
【国際調査報告】
2010501223.tif 000008
2010501223.tif 000009
2010501223.tif 000010
2010501223.tif 000011
2010501223.tif 000012
2010501223.tif 000013